(57)【要約】【課題】安価で簡素なアダプター部材によってエレベータロープの交換を可能とすることができ、しかも、取り付けたままでも常時使用状態とすることができるサイドフォーク式エレベータを提供する。【解決手段】エレベータかご３２を固定した後にエレベータロープ４５の緊張状態を解除し、エレベータロープ４５のエレベータかご３２側の端部のソケット３７をエレベータかご３２から取り外し、交換用の新規エレベータロープ４５’の一端にソケット３７’を介して連結されるアダプター部材５０をエレベータかご３２に連結した後にアダプター部材５０にソケット３７を連結し、エレベータロープ４５のソケット４４を取り外してエレベータロープ４５を除去した後に、新規エレベータロープ４５’のソケット４４’を固定し、アダプター部材５０をエレベータかご３２から取り外して新規エレベータロープ４５’のソケット３７’をエレベータかごに３２に固定し、エレベータかご３２を下降させて新規エレベータロープ４５’を緊張させる。【選択図】　　　　図１
2004035198.tif 000002
【特許請求の範囲】
【請求項１】
エレベータかごとエレベータロープの一端とがアダプター部材を介して連結されたサイドフォーク式エレベータであって、
エレベータかごに前記アダプター部材の第一の支点が回動可能に軸支され、前記エレベータロープの一端に前記アダプター部材の第二の支点が回動可能に軸支されると共に、新規エレベータロープの一端が前記アダプター部材の第三の支点に連結可能となっていることを特徴とするサイドフォーク式エレベータ。
【請求項２】
エレベータかご側のエレベータロープ端部での作業が可能となる位置でエレベータかごを固定した後にエレベータロープの緊張状態を解除する緊張解除ステップと、エレベータかご側のエレベータロープ端部のソケットをエレベータかごから取り外すと共に交換用の新規エレベータロープの一端に新規ソケットを介して連結されるアダプター部材をエレベータかごに連結した状態でソケットを連結するアダプター装着ステップと、エレベータロープの固定側ソケットを取り外してエレベータロープを除去する旧エレベータロープ除去ステップと、新規エレベータロープを固定側へと掛け下げた後にその固定側端部の新規ソケットを固定する固定ステップと、新規エレベータロープのエレベータかご側の新規ソケットを前記アダプター部材から取り外してエレベータかごに固定する正規固定ステップと、エレベータかごを下降させて新規エレベータロープを緊張させる緊張ステップとからなることを特徴とするサイドフォーク式エレベータの主索交換方法。
【請求項３】
前記エレベータかごの昇降並びに固定に既存のエレベータ昇降機構並びに固定機構を使用することを特徴とする請求項２に記載のサイドフォーク式エレベータの主索交換方法。
【請求項４】
支持支点に回動可能に軸支される第一の支点と、旧エレベータロープの一端が軸支される第二の支点と、新規エレベータロープの一端が軸視される第三の支点とを一体に有することを特徴とするサイドフォーク式エレベータの主索交換用アダプター部材。
【発明の詳細な説明】
【０００１】
【発明の属する技術分野】
本発明は、油圧式エレベータやつるべ式エレベータなど、エレベータかごから突出する部分にエレベータロープを連結したサイドフォーク式エレベータに関する。
【０００２】
【従来の技術】
従来から、油圧式エレベータやつるべ式エレベータなどのサイドフォーク式エレベータが知られている。
【０００３】
図２０は、このようなサイドフォーク式レベータとしての油圧式エレベータの説明図（特開平６−２１１４６２号公報参照）、図２１は要部の拡大図である。
【０００４】
図２０及び図２１において、１はエレベータかご２が昇降する昇降路、３はエレベータかご２の下方に位置するかご枠体、４はかご枠体３のうちエレベータかご２の側面から突出する部分の下面に設けられたスプリング、５はかご枠体３を貫通すると共にスプリング４によって常時は伸長状態とされたシンブルロッド、６はシンブルロッド５の下端に設けられてスプリング４の下端が弾接するストッパ、７はシンブルロッド５の上端に設けられたソケット、８は油圧ジャッキ、９は油圧ジャッキ８の上端に回転可能に保持されたプランジャプーリ、１０は油圧ジャッキ８の下端寄りに配置された固定フレーム、１１は固定フレーム１０の先端寄り下面に設けられたスプリング、１２は固定フレーム１０を貫通すると共にスプリング１１によって常時は伸長状態とされたシンブルロッド、１３はシンブルロッド１２の下端に設けられてスプリング１１の下端が弾接するストッパ、１４はシンブルロッド１２の上端に設けられたソケット、１５は両端を各ソケット７，１４に固定されてプランジャプーリ９によって折り返されたエレベータロープである。尚、エレベータロープ１５は紙面と直行する方向に複数本設けられており、当然に、このエレベータロープ１５の各両端に位置する支持部材（各ソケット７，１４他）も同数設けられている。
【０００５】
図２２及び図２３は、エレベーターロープ１４を交換する際に採用されるロープ油圧牽引装置を示し、図２２はかご枠体にロープ油圧牽引装置を取り付けた状態の要部の拡大図、図２３はロープ油圧牽引装置の斜視図である。
【０００６】
図２２及び図２３において、ロープ油圧牽引装置２０は、枠体３の下面に上端を当接して配置する筒状の支持部材２１と、支持部材２１の下端に座金２２を介して連結された油圧移動装置２３とを備えている。
【０００７】
座金２２の上面は支持部材２１の内面側に嵌合し、座金２２の下面は油圧移動装置２３の外面側に嵌合している。
【０００８】
油圧移動装置２３は、軸線方向に沿って変位可能な内部ピストン（図示せず）が内装され、その内部ピストンの中心をシャフト２４が貫通している。
【０００９】
シャフト２４の突出下端には、窓２５ａを有する有底円筒形状のケース２５が設けられていると共に、このケース２５の上下にナット２６，２７が螺合されている。また、シャフト２４の突出上端は支持部材２１内に位置しており、その端部には長ナット２８が螺合されている。この長ナット２８は、その下方のみシャフト２４の上端に螺合しており、その上端はシンブルロッド５の下端ネジ部５ａと螺合する。
【００１０】
このようなロープ油圧牽引装置２０を用いて複数のエレベータロープ１５を交換するには、複数（例えば、３本）のエレベータロープ１５を二つの作業組みに分け（例えば、１本と２本）て行う。以下、３本のエレベータロープ１５の場合に１本（後換）と２本（先換）の２組とした場合で説明する。
【００１１】
先ず、後換のエレベータロープ１５の端部に設けられたシンブルロッド５の自由端に、シャフト２４の上端部を突き合わせ、長ナット２８をシンブルロッド５に螺合させて、シンブルロッド５とシャフト２４とを連結する。
【００１２】
さらに、シンブルロッド５に支持部材２１を挿通させて上端を枠体３に当接させると共に、シャフト２４に油圧移動装置２３の中心部の貫通孔を挿通させ、ナット２５をシャフト２４の下端から螺合して内部ピストンにシャフト２４を当接連結する。
【００１３】
この状態で、油圧移動装置２３に接続された接続管２３ａを介して図示を略する油圧発生源から高圧油を供給すると、内部ピストンが下方変位すると同時にシャフト２４が下方に変位する。
【００１４】
このシャフト２４の下方変位は、スプリング４の付勢に抗してシンブルロッド５を伸長させつつ、エレベータロープ１５の緊張状態が維持されたままソケット７が図示下方へと変位する。
【００１５】
これにより、先換の２本のエレベータロープ１５の緊張状態が解除され、この先換の２本のエレベータロープ１５の交換が可能となる。
【００１６】
同様にして、先換後の２本のエレベータロープ１５に対してロープ油圧牽引装置２０を装着し、後換の１本のエレベータロープ１５の緊張状態を解除した後、この後換の１本のエレベータロープ１５を交換する。
【００１７】
尚、このような交換作業手順は、特開平６−２１１４６２号公報に開示されているので、その詳細な交換作業手順の説明は省略する。
【００１８】
【発明が解決しようとする課題】
ところで、上記の如く構成されたサイドフォーク式エレベータにあっては、エレベータロープ１５を交換するに際して、高価で複雑な構成を採用するロープ油圧牽引装置２０が必要となる上、エレベータかご２の昇降機構とは別の油圧発生源が必要となり、作業現場への作業者の移動性が阻害されるという問題が生じていた。
【００１９】
本発明は、上記問題を解決するため、安価で簡素なアダプター部材によってエレベータロープの交換を可能とすることができ、しかも、取り付けたままでも常時使用状態とすることができるサイドフォーク式エレベータを提供することを目的とする。
【００２０】
【課題を解決するための手段】
その目的を達成するため、本発明のサイドフォーク式エレベータは、エレベータかごとエレベータロープの一端とがアダプター部材を介して連結されたサイドフォーク式エレベータであって、エレベータかごに前記アダプター部材の第一の支点が回動可能に軸支され、前記エレベータロープの一端に前記アダプター部材の第二の支点が回動可能に軸支されると共に、新規エレベータロープの一端が前記アダプター部材の第三の支点に連結可能となっていることを特徴とする。
【００２１】
このような構成においては、アダプター部材の第一の支点がエレベータかごに回動可能に軸支されると共にアダプター部材の第二の支点がエレベータロープの一端に回動可能に軸支されることによってエレベータかごとエレベータロープの一端とがアダプター部材を介して連結され、そのアダプター部材には新規エレベータロープの一端が連結可能な第三の支点が設けられている。
【００２２】
これにより、常時はエレベータかごとエレベータロープの一端とをアダプター部材で連結したままエレベータかごの昇降が可能となっており、しかも、新規エレベータロープに交換する際には既に取り付け済みのアダプター部材の第三の支点に新規エレベータロープの一端を連結することで、容易且つ簡便に交換作業を行うことができる。
【００２３】
また、本発明のサイドフォーク式エレベータの主索交換方法は、エレベータかご側のエレベータロープ端部での作業が可能となる位置でエレベータかごを固定した後にエレベータロープの緊張状態を解除する緊張解除ステップと、エレベータかご側のエレベータロープ端部のソケットをエレベータかごから取り外すと共に交換用の新規エレベータロープの一端に新規ソケットを介して連結されるアダプター部材をエレベータかごに連結した状態でソケットを連結するアダプター装着ステップと、エレベータロープの固定側ソケットを取り外してエレベータロープを除去する旧エレベータロープ除去ステップと、新規エレベータロープを固定側へと掛け下げた後にその固定側端部の新規ソケットを固定する固定ステップと、新規エレベータロープのエレベータかご側の新規ソケットを前記アダプター部材から取り外してエレベータかごに固定する正規固定ステップと、エレベータかごを下降させて新規エレベータロープを緊張させる緊張ステップとからなることを特徴とする。
【００２４】
この際、エレベータかごの昇降並びに固定には、既存のエレベータ昇降機構並びに固定機構を使用することを特徴とする。
【００２５】
また、本発明のサイドフォーク式エレベータの主索交換用アダプター部材は、支持支点に回動可能に軸支される第一の支点と、旧エレベータロープの一端が軸支される第二の支点と、新規エレベータロープの一端が軸視される第三の支点とを一体に有することを特徴とする。
【００２６】
【発明の実施の形態】
次に、本発明のサイドフォーク式エレベータの実施の形態を図面に基づいて説明する。
【００２７】
（実施の形態１）
図１乃至図１０は、本発明のサイドフォーク式エレベータの実施の形態１を示し、図１（Ａ）は本発明のサイドフォーク式エレベータの全体構成の説明図、図１（Ｂ）はエレベータロープ交換時の要部の説明図、図２（Ａ）は本発明のサイドフォーク式エレベータに使用されるアダプターの正面図、図２（Ｂ）は本発明のサイドフォーク式エレベータに使用されるアダプターの側面図、図３乃至図１０は本発明のサイドフォーク式エレベータの作業手順を時系列で示す説明図である。
【００２８】
図１（Ａ）において、３１はエレベータかご３２が昇降する昇降路、３３はエレベータかご３２の下方に位置するかご枠体、３４はかご枠体３３のうちエレベータかご３２の側面から突出する部分の下面に設けられたスプリング、３５はかご枠体３３を貫通すると共にスプリング３４によって常時は伸長状態とされたシンブルロッド、３６はシンブルロッド３５の下端に設けられてスプリング３４の下端が弾接するストッパ、３７はシンブルロッド３５の上端に設けられたソケット、３８は油圧ジャッキ、３９は油圧ジャッキ３８の上端に回転可能に保持されたプランジャプーリ、４０は油圧ジャッキ３８の下端寄りに配置された固定フレーム、４１は固定フレーム３０の先端寄り下面に設けられたスプリング、４２は固定フレーム４０を貫通すると共にスプリング４１によって常時は伸長状態とされたシンブルロッド、４３はシンブルロッド４２の下端に設けられてスプリング４１の下端が弾接するストッパ、４４はシンブルロッド４２の上端に設けられたソケット、４５は両端を各ソケット３７，４４に固定されてプランジャプーリ３９によって折り返されたエレベータロープ（主索）である。
【００２９】
尚、エレベータロープ４５は紙面と直行する方向に複数本（例えば、３本）設けられており、当然に、このエレベータロープ４５の各両端に位置する支持部材（各ソケット３７，４４他）も同数設けられている。
【００３０】
また、エレベータかご３２側のソケット３７は、図１（Ｂ）に示すように、新しいエレベータロープ４５’（以下、「新規エレベータロープ」と称する）に交換する際には、シンブルロッド３５との間にアダプター部材５０を介在させた状態で連結される。
【００３１】
このアダプター部材５０は、図２（Ａ），（Ｂ）に示すように、正面視略扇形に形成され、その基部にはシンブルロッド３５の先端が挿入される割り溝５０ａが形成されている。また、基部並びに二箇所の角部付近には、貫通孔５０ｂ，５０ｃ，５０ｄがそれぞれ設けられている。
【００３２】
尚、アダプター部材５０の形状は、少なくとも三点の支点を備え且つそのうちの一点を支点として回動可能であれば特に限定されるものではなく、三角形等の多角形等、設置スペースや成形性、強度の確保などを考慮しつつ、適宜形状並びに適宜材質によって成形可能であることは勿論である。
【００３３】
第一の支点としての貫通孔５０ｂにはシンブルロッド３５の先端にアダプター部材５０を回動可能に連結するための軸５１が設けられ、第二の支点としての貫通孔５０ｃにはエレベータロープ４５の一端に固定されたソケット３７にアダプター部材５０を回動可能に連結するための軸５２が設けられ、第三の支点としての貫通孔５０ｄには新規エレベータロープ４５’の一端に固定されたソケット３７’にアダプター部材５０を回動可能に連結するための軸５３が設けられる。
【００３４】
ところで、実施の形態１では、第一の支点としての貫通孔５０ｂに設けられる軸５１は、アダプター部材５０をシンブルロッド３５に固定する前のシンブルロッド３５とソケット３７とを連結する部分を支持支点としているが、例えば、シンブルロッド４５とソケット４４とを連結する部分、即ち、固定側にアダプター部材５０を設ける場合にはシンブルロッド４５とソケット４４とを連結する部分が支持支点となる。
【００３５】
次に、本発明のサイドフォーク式エレベータにおけるエレベータロープ４５の交換方法を説明する。
【００３６】
（手順１）
このエレベータロープ４５の交換作業には二人の作業者を要する。先ず、図１（Ａ）に示した状態から、図３に示すように、一人のかご側作業者は、固定側作業者がシンブルロッド３５側のエレベータロープ４５の端部での作業が可能となるようにエレベータ既存設備である非常停止装置等（図示せず）を使用してエレベータかご３２を固定（停止）させた後、油圧ジャッキ３８をダウン操作してエレベータロープ４５の緊張状態を緩め、ソケット３７をシンブルロッド３５から取り外せるようにする。
【００３７】
（手順２）
次に、図４に示すように、かご側作業者はエレベータかご３２の上から両端にソケット３７’（図４では一端側のみ図示）を固定した新規エレベータロープ４５’をエレベータかご３２の下へと降ろす。また、固定側作業者は、ソケット３７をシンブルロッド３５から取り外した後、アダプター部材５０をシンブルロッド３５に取り付けた後、アダプター部材５０にソケット３７及びソケット３７’を取り付ける。
【００３８】
（手順３）
次に、図５に示すように、かご側作業者は、非常停止装置等による停止を解除した後に、油圧ジャッキ３８をアップ操作してプランジャプーリ３９の付近で作業をできるようにする。
【００３９】
（手順４）
次に、図６に示すように、プランジャプーリ３９の付近での作業が可能となる位置にまでエレベータかご３２を移動したらば、再び非常停止装置等によりエレベータかご３２を固定（停止）させ、油圧ジャッキ３８を再びダウン操作してエレベータロープ４５の緊張状態を解除する。
【００４０】
（手順５）
次に、図７に示すように、固定側作業者がソケット４４をシンブルロッド４２から取り外した後、かご側作業者がエレベータロープ４５を引き上げる。
【００４１】
（手順６）
次に、図８に示すように、かご側作業者が新規エレベータロープ４５’をプランジャプーリ３９に掛けつつ下方へと垂らし、固定側作業者に新規エレベータロープ４５’の端部を受け取らせた後、固定側作業者が新規エレベータロープ４５’のソケット４４’をシンブルロッド４２に連結する。
【００４２】
（手順７）
次に、図９に示すように、非常停止装置等によるエレベータかご３２の固定を解除して油圧ジャッキ３８をアップ操作し、固定側作業者によるエレベータかご３２側でのロープ端末作業を可能とする。
【００４３】
（手順８）
次に、非常停止装置等によってエレベータかご３２を固定した後、図１０に示すように、油圧ジャッキ３８をダウン操作して新規エレベータロープ４５’の緊張状態を解除した後に、アダプター部材５０をシンブルロッド３５から取り外し、ソケット３７’をシンブルロッド３５に連結する。
【００４４】
そして、これらの連結状態を確認した上で、非常停止装置等によるエレベータかご３２の固定を解除すると共に油圧ジャッキ３８を操作して正常の位置にまでエレベータかご３２をアップさせて作業を完了させる。
【００４５】
ところで、アダプター部材５０は、エレベータロープ４５を新規エレベータロープ４５’に交換する際のみならず、図１（Ｂ）に示した状態を常時の使用状態としても良い。
【００４６】
このような状態では、上述した手順３を作業開始とし、以下、手順４〜手順６を行い、手順７にて交換後のエレベータロープ４５を回収するのみで作業が終了する。
【００４７】
（実施の形態２）
図１１乃至図１９は、本発明のサイドフォーク式エレベータの実施の形態２を示し、図１１は本発明のサイドフォーク式エレベータの全体構成の説明図、図１２乃至図１９は本発明のサイドフォーク式エレベータの作業手順を時系列で示す説明図である。
【００４８】
図１１において、３１はエレベータかご３２が昇降する昇降路、３３はエレベータかご３２の下方に位置するかご枠体、３４はかご枠体３３のうちエレベータかご３２の側面から突出する部分の下面に設けられたスプリング、３５はかご枠体３３を貫通すると共にスプリング３４によって常時は伸長状態とされたシンブルロッド、３６はシンブルロッド３５の下端に設けられてスプリング３４の下端が弾接するストッパ、３７はシンブルロッド３５の上端に設けられたソケット、３９は巻上機綱車、４１はつり合い重り４６に設けられたスプリング、４２はスプリング４１によって常時は伸長状態とされたシンブルロッド、４３はシンブルロッド４２の下端に設けられてスプリング４１の下端が弾接するストッパ、４４はシンブルロッド４２の上端に設けられたソケット、４５は両端を各ソケット３７，４４に固定されて巻上機綱車３９によって折り返されたエレベータロープである。尚、エレベータロープ４５は紙面と直行する方向に複数本設けられており、当然に、このエレベータロープ４５の各両端に位置する支持部材（各ソケット３７，４４他）も同数設けられている。
【００４９】
（手順１）
このようなつるべ式のエレベータロープ４５の交換作業においても二人の作業者を要する。先ず、図１１に示した状態から、図１２に示すように、かご側作業者は、エレベータかご３２に新規エレベータロープ４５’を乗せ、固定側作業者により作業が可能なエレベータかご３２の位置にてチェーンブロック５４等を用いてエレベータかご３２を吊り上げる。
【００５０】
（手順２）
次に、図１３に示すように、固定側作業者はソケット３７を取り外し、アダプター部材５０をシンブルロッド３５に取り付けた後、アダプター部材５０にソケット３７及びソケット３７’を取り付ける。
【００５１】
（手順３）
次に、図１４に示すように、かご側作業者は、チェーンブロック５４を取り外し、巻上機綱車３９の付近にまでエレベータかご３２を上昇させる。
【００５２】
（手順４）
次に、図１５に示すように、固定側作業者が突っ張り棒５５等でつり合い重り４６を固定した後、エレベータかご３２を吊り上げる。
【００５３】
（手順５）
次に、図１６に示すように、ソケット４４を取り外し、かご側作業者はエレベータロープ４５をエレベータかご３２まで引き上げる。
【００５４】
（手順６）
次に、図１７に示すように、かご側作業者が新規エレベータロープ４５’を巻上機綱車３９に掛けつつ下方へと垂らし、固定側作業者に新規エレベータロープ４５’の端部を受け取らせた後、固定側作業者が新規エレベータロープ４５’のソケット４４’をシンブルロッド４２に連結する。
【００５５】
（手順７）
次に、図１８に示すように、かご側作業者はチェーンブロック５４を取り外した後、固定側作業者によりエレベータかご３２を再度チェーンブロック５４で吊り上げる。
【００５６】
（手順８）
次に、図１９に示すように、固定側作業者がアダプター部材５０をシンブルロッド３５から取り外し、ソケット３７’をシンブルロッド３５に連結する。
【００５７】
【発明の効果】
本発明のサイドフォーク式エレベータにあっては、以上説明したように構成したことにより、安価で簡素なアダプター部材によってエレベータロープの交換を可能とすることができ、しかも、取り付けたままでも常時使用状態とすることができる。
【図面の簡単な説明】
【図１】本発明の実施の形態１に係わるサイドフォーク式エレベータを示し、（Ａ）は本発明のサイドフォーク式エレベータの全体構成の説明図、（Ｂ）はエレベータロープ交換時の要部の説明図である。
【図２】本発明の実施の形態１に係わるサイドフォーク式エレベータを示し、（Ａ）は本発明のサイドフォーク式エレベータに使用されるアダプターの正面図、（Ｂ）は本発明のサイドフォーク式エレベータに使用されるアダプターの側面図である。
【図３】本発明の実施の形態１に係わるサイドフォーク式エレベータの主索交換方法の手順１の説明図である。
【図４】本発明の実施の形態１に係わるサイドフォーク式エレベータの主索交換方法の手順２の説明図である。
【図５】本発明の実施の形態１に係わるサイドフォーク式エレベータの主索交換方法の手順３の説明図である。
【図６】本発明の実施の形態１に係わるサイドフォーク式エレベータの主索交換方法の手順４の説明図である。
【図７】本発明の実施の形態１に係わるサイドフォーク式エレベータの主索交換方法の手順５の説明図である。
【図８】本発明の実施の形態１に係わるサイドフォーク式エレベータの主索交換方法の手順６の説明図である。
【図９】本発明の実施の形態１に係わるサイドフォーク式エレベータの主索交換方法の手順７の説明図である。
【図１０】本発明の実施の形態１に係わるサイドフォーク式エレベータの主索交換方法の手順８の説明図である。
【図１１】本発明の実施の形態２に係わるサイドフォーク式エレベータの全体構成の説明図である。
【図１２】本発明の実施の形態２に係わるサイドフォーク式エレベータの主索交換方法の手順１の説明図である。
【図１３】本発明の実施の形態２に係わるサイドフォーク式エレベータの主索交換方法の手順２の説明図である。
【図１４】本発明の実施の形態２に係わるサイドフォーク式エレベータの主索交換方法の手順３の説明図である。
【図１５】本発明の実施の形態２に係わるサイドフォーク式エレベータの主索交換方法の手順４の説明図である。
【図１６】本発明の実施の形態２に係わるサイドフォーク式エレベータの主索交換方法の手順５の説明図である。
【図１７】本発明の実施の形態２に係わるサイドフォーク式エレベータの主索交換方法の手順６の説明図である。
【図１８】本発明の実施の形態２に係わるサイドフォーク式エレベータの主索交換方法の手順７の説明図である。
【図１９】本発明の実施の形態２に係わるサイドフォーク式エレベータの主索交換方法の手順８の説明図である。
【図２０】従来のサイドフォーク式エレベータとしての油圧式エレベータの説明図である。
【図２１】従来のサイドフォーク式エレベータの要部の拡大図である。
【図２２】従来のサイドフォーク式エレベータのかご枠体にロープ油圧牽引装置を取り付けた状態の要部の拡大図である。
【図２３】ロープ油圧牽引装置の斜視図である。
【符号の説明】
３２　エレベータかご、３７　ソケット、３７’　ソケット、４４　ソケット、４４’　ソケット、４５　エレベータロープ、４５’　新規エレベータロープ、５０　アダプター部材。
【図１】
2004035198.tif 000003
【図２】
2004035198.tif 000004
【図３】
2004035198.tif 000005
【図４】
2004035198.tif 000006
【図５】
2004035198.tif 000007
【図６】
2004035198.tif 000008
【図７】
2004035198.tif 000009
【図８】
2004035198.tif 000010
【図９】
2004035198.tif 000011
【図１０】
2004035198.tif 000012
【図１１】
2004035198.tif 000013
【図１２】
2004035198.tif 000014
【図１３】
2004035198.tif 000015
【図１４】
2004035198.tif 000016
【図１５】
2004035198.tif 000017
【図１６】
2004035198.tif 000018
【図１７】
2004035198.tif 000019
【図１８】
2004035198.tif 000020
【図１９】
2004035198.tif 000021
【図２０】
2004035198.tif 000022
【図２１】
2004035198.tif 000023
【図２２】
2004035198.tif 000024
【図２３】
2004035198.tif 000025